(57)【特許請求の範囲】
【請求項１】
画像を表す画像データを与えるための手段と、該与えられた複数の画像に夫々単位画像縫いを形成するため、複数の画像に画像区分プログラムに従った解像度で格子状の区画に区分するための手段と、該区分された格子状の区画毎に縫いを実行するか否か判定するための手段と、前記縫いを実行すると判定された格子状の区画に縫われるための単位画像縫いデータとしてステッチパタ−ンデ−タを与えるための手段と、前記縫いを実行すると判定された区画に縫われる単位画像縫いデータとしてステッチパタ−ンデ−タを選択するための手段と、同一の区画に２以上の画像の縫い実行判定がなされた時、１のみの画像を縫い実行させるための手段と、を備えたことを特徴とする刺繍データ作成装置。
【請求項２】
前記画像データを与えるための手段が画像を読み込むためのイメージスキャナであって、前記１のみの画像を縫い実行させるための手段が、画像が読み込まれた順序に応じて、１のみの画像の縫いを実行させる、請求項１に記載の刺繍データ作成装置。
【請求項３】
前記１のみの画像を縫い実行させるための手段が、所定範囲内の画像の占める割合に応じて１のみの画像の縫いを実行させる、請求項１に記載の刺繍データ作成装置。
【請求項４】
前記１のみの画像を縫い実行させるための手段が、ユーザが選択した単位画像のステッチパターンの縫いを実行させる、請求項１に記載の刺繍データ作成装置。
【発明の詳細な説明】
【０００１】
【発明の属する技術分野】
この発明は刺繍データ作成装置に関する。
【０００２】
【従来の技術】
刺繍縫いが可能なミシンや刺繍縫い専用装置に刺繍縫いを行わせるためのデータは、装置のメーカ等がデータを作成し、このデータに基づいて刺繍縫いが行われるのが普通である。
しかし、近年パーソナルコンピュータ等の普及に伴い、ユーザ自らが画像を作成し、これを刺繍縫い目のデータとして使いたいとする要望が増えている。また、ユーザが作成した画像をイメージセンサ等で読みとり、これに基づいて縫い目データを作成する装置が家庭用の刺繍縫いミシンの付属品として既に市販されている。
【０００３】
【発明が解決しようとする課題】
このようにユーザが好みの画像を作成し、これに基づいて刺繍縫い目データを作成する場合に、色替え縫い等を行う際には、色毎の原画を用意し、別々にイメージセンサ等により読みとり、別個に画像データを作成する必要がある。
しかし、読みとるべき原画の誤差やイメージセンサの誤差或いは操作誤差等により画像が重なってしまい、その重複部分がそのまま画像データ化されて、実際に縫われる際に重ね縫いがなされる問題があった。
従来は、このように原画から作成した画像データは、単なる畳縫いデータ等の単純な縫い目により作成するのが一般的であり、重ね縫いがあってもそれほど目立たず、大きな問題にはならなかった。
しかし、近年単純な縫い目のみではなく、ステッチ縫いなども可能な刺繍データの作成装置の研究がなされており、このようなステッチ縫い等を行う場合には重ね縫いがあると著しく刺繍の外観を損ねる問題があり、この点の解決が望まれている。また、ステッチ縫いの場合には、画像と画像の境界部で両方の画像縫いのデータが作成される場合が考えられ、この観点からも上記解決が望まれている。
本発明は上記した点に鑑みて成されたもので、重ね縫いの生じない刺繍データを作成する装置を提供することを目的とする。
【０００４】
【課題を解決するための手段】
本発明は、画像を表す画像データを与えるための手段と、該与えられた複数の画像に夫々単位画像縫いを形成するため、複数の画像に画像区分プログラムに従った解像度で格子状の区画に区分するための手段と、該区分された格子状の区画毎に縫いを実行するか否か判定するための手段と、前記縫いを実行すると判定された格子状の区画に縫われるための単位画像縫いデータとしてステッチパタ−ンデ−タを与えるための手段と、前記縫いを実行すると判定された区画に縫われる単位画像縫いデータとしてステッチパタ−ンデ−タを選択するための手段と、同一の区画に２以上の画像の縫い実行判定がなされた時、１のみの画像を縫い実行させるための手段と、を備えたことを特徴とする刺繍データ作成装置とすることで、課題を解決することができた。
また本発明は、更に前記画像データを与えるための手段が画像を読み込むためのイメージスキャナであって、前記１のみの画像を縫い実行させるための手段が、画像が読み込まれた順序に応じて、１のみの画像の縫いを実行させる、刺繍データ作成装とすることで、課題を解決することができた。
また本発明は、更に、前記１のみの画像を縫い実行させるための手段が、所定範囲内の画像の占める割合に応じて１のみの画像の縫いを実行させる、刺繍データ作成装置とすることで、課題を解決することができた。
また本発明は、更に前記１のみの画像を縫い実行させるための手段が、ユーザが選択した単位画像のステッチパターンの縫いを実行させる、刺繍データ作成装置とすることで、課題を解決することができた。
【０００５】
【発明の実施の形態】
以下本発明の実施の形態を図面に基づいて説明する。
図１において、マイクロコンピュータ等を主体に構成された中央演算処理装置１を用いた実施形態について説明する。図３は動作のフローチャートである。
中央演算処理装置１にはイメージスキャナ２が接続されており、ユーザが希望する原画を読み込んで画像データを中央演算処理装置１に入力するようになっている。イメージスキャナ２に変えて、例えば画像データを記憶しているメモリカード等の記憶媒体や或いはＣＡＤ等の画像処理装置を接続して画像データなどを読み込むようにすることも可能である。
図２の（ア）は原画の例を示すもので、ＡとＢの２つの画像から形成され、Ａ、Ｂは色が異なったり或いはステッチパターンが異なることにより、異なる縫いが実行される画像である。
イメージスキャナ２においてこのような原画を読み込む際には、通常Ａのみの原画とＢのみの原画を用意し、それぞれ別にイメージスキャナ２により読みとらせるようになっている。
【０００６】
中央演算処理装置１は区分プログラム記憶装置３に格納された画像区分プログラムに従って、読み込んだ画像を複数の区画に区分する。
図２の（イ）は、説明のために３行、７列の格子状の区画に区分する例を示しているが、実際には例えば６６×４９程度の解像度で区画分けするようになっている。画像Ａ、Ｂそれぞれについて、区画分けがなされるようになっている。
【０００７】
区画に区分した後、中央演算処理装置１は縫い実行判定プログラム記憶装置４のプログラムに従って各区画毎に縫いを実行するか否か判定する。
この判定のアルゴリズムは既存のものを使用することが可能であり、例えば区画に示す画像の面積割合等に応じて決定すれば良い。この実施形態では画像が２０％以上の面積を占める区画を縫い実行と判定するようになっている。
縫い実行区画にはステッチパターン選択装置９の操作によりステッチパターン記憶装置６からのステッチパターンが選択される。
図２の（ウ）において、ＡＢマークを付した区画が縫い実行区画であり、ＡＢは例えば異なる色のステッチパターンを表している。
【０００８】
図２の（エ）はＡ画像とＢ画像を合体させたもので、ＡＢ両パターンの縫いを実行する区画が生ずることがわかる。
このように縫い実行区画が重複するのは、この実施形態のように縫い実行判断のアルゴリズムに起因する場合、イメージスキャナ２により読みとる際の操作の誤差やブレ等による場合、或いは意図的に画像を二重にする場合等がある。
【０００９】
中央演算処理装置１は同一区画に縫い実行が重複する場合には、データ消去プログラム記憶装置５のプログラムに従って、縫いが実行されるべき１の画像を決定し、他の画像のデータを消去するようになっている。
１の画像を決定する際には、イメージスキャナ２から読み込んだ順序に応じて、例えば後から読み込んだ画像を優先して縫い実行させるようにすること等が可能である。また、所定範囲内の画像の面積割合に応じて決定しても良い。例えば、画像の小さいものを優先して縫い実行させるようにしても良い。
この実施形態では、上記に加えて更にステッチパターン選択装置９を用いてユーザが消去する画像を指定できるようになっている。
【００１０】
以上の手順により縫い実行を決定された画像を合成すると、図２の（オ）に示すように重複部分がなくなり、すべての区画において単一の画像の縫いを行うデータが完成する。この例では画像ＡＢの重複部分はすべて後に読み込んだＢ画像を縫うようになっている。
【００１１】
中央演算処理装置１は上記操作が終了したら、これに従って縫い目データ生成プログラム記憶装置７のプログラムにより画像ＡＢ毎に縫い目データを生成し、該縫い目データＡ、Ｂを記憶装置８に格納する。
この記憶装置８は例えばＩＣカード等の記憶媒体としておき、これを刺繍ミシン等に装着して、画像Ａ、Ｂの刺繍を順次実行させる。
その際に、同一区画の重複画像データは整理されているから、重なりのない外観の優れた縫いが実現する。
【００１２】
上記した動作を図３のフローチャートに従って、再度説明する。
最初にライン番号Ｌと区画番号Ｎをクリアし（ステップＳ１）、イメージスキャナ２による画像読取が終わったら（ステップＳ２）、画像を区画に区分する（ステップＳ３）。そして、各ラインの各区分毎に縫いを実行するか否か判定する（ステップＳ４、５、６、７、８、９、１０）。
次に、Ｌをクリアし（ステップＳ１１）、各ラインを往復サーチして縫い実行区画の場合にはステッチパターンを選択する（ステップＳ１２）。
そして、次の画像を読みとる場合には（ステップＳ１３）、ステップＳ２に戻る。次の画像読取がない場合には、各区画毎に縫い実行が重複するか否か判別し（ステップＳ１４、１５、１６）、重複する場合には一方のデータを消去する（ステップＳ１７）。
そして、すべてのラインの区画における重複のチェックとデータ消去を終えたら（ステップＳ１９、２０、２１）、該選択に従って画像毎に縫い目データを生成し（ステップＳ２２）、これを記憶装置８に記憶させる（ステップＳ２３）。
【００１３】
【発明の効果】
以上説明したように本発明の画像データに基づく刺繍データ作成装置によれば、任意の画像データから、縫い目が重複せず、外観の優れた縫い目データが作成できる効果がある。
【図面の簡単な説明】
【図１】本発明の一実施形態を示すブロック図。
【図２】本発明の一実施形態の動作説明図。
【図３】本発明の一実施形態の動作を示すフローチャート図。
【符号の説明】
１：中央演算処理装置、２：イメージスキャナ、３：区分プログラム記憶装置、４：縫い実行判定プログラム記憶装置、５：データ消去プログラム記憶装置、６：ステッチパターン記憶装置、７：縫い目データ生成プログラム記憶装置、８：記憶装置、９：ステッチパターン選択装置。
【図１】
0004052688.tif 000002
【図２】
0004052688.tif 000003
【図３】
0004052688.tif 000004